(57)【要約】【課題】梱包対象物の高さ方向の寸法の相違に対応しやすい構造を提供することを課題とする。【解決手段】梱包材は、一端が天板部の各辺に接続し、他端が側壁部に接続して設けられた中央パッド部と、一端が天板部の各辺に接続し、他端が側壁部に接続し、中央パッド部の側方に設けられた側方パッド部と、を備える。中央パッド部は、それぞれ少なくとも側壁部と接続された第１折部と、第１折部よりも天板部に近い側に設けられた第２折部と、第２折部よりも天板部に近い側に設けられた第３折部と、天板部と接続された第４折部とを備え、側方パッド部は、それぞれ少なくとも側壁部と接続された第５折部と、第５折部よりも天板部に近い側に設けられた第６折部と、天板部と接続された第７折部とを備える。第１折部の長さは、少なくとも第２折部の長さよりも短く、第４折部の長さは、少なくとも第３折部の長さよりも短い。【選択図】図１
2018118759.tif 000002
【特許請求の範囲】
【請求項１】
箱本体内に収納される梱包対象物に被冠される梱包材であって、
四辺を有する天板部と、
前記天板部の各辺にそれぞれ連設されている側壁部と、
一端が前記天板部の各辺に接続し、他端が前記側壁部に接続して設けられた中央パッド部と、
一端が前記天板部の各辺に接続し、他端が前記側壁部に接続し、前記中央パッド部の側方に設けられた側方パッド部と、を備え、
前記中央パッド部は、それぞれ少なくとも前記側壁部と接続された第１折部と、前記第１折部よりも前記天板部に近い側に設けられた第２折部と、前記第２折部よりも前記天板部に近い側に設けられた第３折部と、前記天板部と接続された第４折部とを備え、
前記側方パッド部は、それぞれ少なくとも前記側壁部と接続された第５折部と、前記第５折部よりも前記天板部に近い側に設けられた第６折部と、前記天板部と接続された第７折部とを備え、
前記第１折部の長さは、少なくとも前記第２折部の長さよりも短く、前記第４折部の長さは、少なくとも前記第３折部の長さよりも短い梱包材。
【請求項２】
前記梱包材を展開した状態において、前記第１折部は、前記第５折部よりも前記天板部から離れた側に位置し、前記第４折部は、前記第７折部よりも前記天板部の中心部側に位置している請求項１に記載の梱包材。
【請求項３】
対向配置されている少なくとも一対の前記第４折部は、それぞれ前記天板部の中心部に向かって突状とされた円弧状である請求項１又は２に記載の梱包材。
【請求項４】
前記天板部は、長辺と短辺を備え、前記短辺が延びる方向に沿って設けられた第４折部は、前記天板部の中心部に向かって突状とされた円弧状である請求項１又は２に記載の梱包材。
【請求項５】
前記天板部の各角部において、隣接する辺に属する側方パッド部間に切れ込み部を備え、隣接する前記側方パッド部同士を離して設けた請求項１乃至４のいずれか１項に記載の梱包材。
【請求項６】
箱本体と、当該箱本体内に設置され、梱包対象物が搭載される台座部と、前記箱本体内において、前記台座部の上方に配置され、前記梱包対象物に被冠される梱包材を備える梱包箱であって、
前記梱包材は、
四辺を有する天板部と、
前記天板部の各辺にそれぞれ連設されている側壁部と、
一端が前記天板部の各辺に接続し、他端が前記側壁部に接続して設けられた中央パッド部と、
一端が前記天板部の各辺に接続し、他端が前記側壁部に接続し、前記中央パッド部の側方に設けられた側方パッド部と、を備え、
前記中央パッド部は、それぞれ少なくとも前記側壁部と接続された第１折部と、前記第１折部よりも前記天板部に近い側に設けられた第２折部と、前記第２折部よりも前記天板部に近い側に設けられた第３折部と、前記天板部と接続された第４折部とを備え、
前記側方パッド部は、それぞれ少なくとも前記側壁部と接続された第５折部と、前記第５折部よりも前記天板部に近い側に設けられた第６折部と、前記天板部と接続された第７折部とを備え、
前記第１折部の長さは、少なくとも前記第２折部の長さよりも短く、前記第４折部の長さは、少なくとも前記第３折部の長さよりも短い梱包箱。
【発明の詳細な説明】
【技術分野】
【０００１】
本明細書開示の発明は、梱包材及び梱包箱に関する。
【背景技術】
【０００２】
従来、梱包対象物を梱包箱に梱包する際、梱包対象物が梱包箱内で動いてしまわないように、緩衝材が同梱されることがある。また、段ボール紙で形成された物品搭載部に搭載された物品をフィルムで覆う提案がされている（例えば、特許文献１参照）。また、所定位置に弾性片が設けられた固定材を外箱内に設置し、その上方からブロック状の梱包対象物を載置する提案がされている（例えば、特許文献２参照）。さらに、所定の位置に切り込みを設けた一枚の段ボールを折り畳んで逆台形状を形成する傾斜底面を設け、この傾斜底面に梱包対象物を支持させる提案がされている（例えば、特許文献３参照）。
【先行技術文献】
【特許文献】
【０００３】
【特許文献１】特開２０１２−１５８３５９号公報
【特許文献２】特開２０１０−８９８２０号公報
【特許文献３】特開２００１−３１５８５６号公報
【発明の概要】
【発明が解決しようとする課題】
【０００４】
しかしながら、単に緩衝材を同梱する場合、寸法が異なる梱包対象物に対応しようとすると、梱包対象物毎に異なる寸法の緩衝材を準備したり、緩衝材の詰め方を変更したりしなければならず手間である。また、さらに、特許文献１は、梱包対象物の異なる寸法に対応しやすい反面、梱包時のフィルムの被覆、開梱時のフィルムの剥離が手間である。さらに、特許文献２では、梱包対象物の上下方向の移動を抑制するために梱包対象物側に弾性片の下側に押し込まれるフランジ部を設けなければならない。また、特許文献３では、梱包対象物の上下方向の移動を抑制するために、蓋フラップを折り曲げて、梱包対象物に接触させているため、梱包対象物の寸法、特に、高さ方向の寸法の違いに対応しづらい。
【０００５】
１つの側面では、本明細書開示の梱包材及び梱包箱は、梱包対象物の高さ方向の寸法の相違に対応しやすい構造を提供することを課題とする。
【課題を解決するための手段】
【０００６】
本明細書開示の梱包材は、箱本体内に収納される梱包対象物に被冠される梱包材であって、四辺を有する天板部と、前記天板部の各辺にそれぞれ連設されている側壁部と、一端が前記天板部の各辺に接続し、他端が前記側壁部に接続して設けられた中央パッド部と、一端が前記天板部の各辺に接続し、他端が前記側壁部に接続し、前記中央パッド部の側方に設けられた側方パッド部と、を備え、前記中央パッド部は、それぞれ少なくとも前記側壁部と接続された第１折部と、前記第１折部よりも前記天板部に近い側に設けられた第２折部と、前記第２折部よりも前記天板部に近い側に設けられた第３折部と、前記天板部と接続された第４折部とを備え、前記側方パッド部は、それぞれ少なくとも前記側壁部と接続された第５折部と、前記第５折部よりも前記天板部に近い側に設けられた第６折部と、前記天板部と接続された第７折部とを備え、前記第１折部の長さは、少なくとも前記第２折部の長さよりも短く、前記第４折部の長さは、少なくとも前記第３折部の長さよりも短い。
【０００７】
本明細書開示の梱包箱は、箱本体と、当該箱本体内に設置され、梱包対象物が搭載される台座部と、前記箱本体内において、前記台座部の上方に配置され、前記梱包対象物に被冠される梱包材を備える梱包箱であって、前記梱包材は、四辺を有する天板部と、前記天板部の各辺にそれぞれ連設されている側壁部と、一端が前記天板部の各辺に接続し、他端が前記側壁部に接続して設けられた中央パッド部と、一端が前記天板部の各辺に接続し、他端が前記側壁部に接続し、前記中央パッド部の側方に設けられた側方パッド部と、を備え、前記中央パッド部は、それぞれ少なくとも前記側壁部と接続された第１折部と、前記第１折部よりも前記天板部に近い側に設けられた第２折部と、前記第２折部よりも前記天板部に近い側に設けられた第３折部と、前記天板部と接続された第４折部とを備え、前記側方パッド部は、それぞれ少なくとも前記側壁部と接続された第５折部と、前記第５折部よりも前記天板部に近い側に設けられた第６折部と、前記天板部と接続された第７折部とを備え、前記第１折部の長さは、少なくとも前記第２折部の長さよりも短く、前記第４折部の長さは、少なくとも前記第３折部の長さよりも短い。
【発明の効果】
【０００８】
本明細書開示の梱包材及び梱包箱によれば、梱包対象物の高さ方向の寸法の相違に対応しやすい構造を提供することができる。
【図面の簡単な説明】
【０００９】
【図１】図１は実施形態の梱包箱内に梱包対象物を梱包する様子を示す説明図である。
【図２】図２は実施形態の梱包材を模式的に示す説明図である。
【図３】図３は実施形態の梱包材を示す斜視図である。
【図４】図４は実施形態の梱包材を図３と異なる方向から見た斜視図である。
【図５】図５は実施形態の梱包材を図３と異なる方向から見た斜視図である。
【図６】図６は実施形態の梱包材の展開図である。
【図７】図７（Ａ）は実施形態の梱包材の展開図における山折り線を示す説明図であり、図７（Ｂ）は実施形態の梱包材の展開図における谷折り線を示す説明図である。
【図８】図８（Ａ）、図８（Ｂ）は、実施形態の梱包材の展開図における各部の寸法を示す説明図である。
【図９】図９は実施形態の梱包材が備える切れ込み部を示す説明図である。
【図１０】図１０は図２におけるＡ−Ａ線断面図である。
【図１１】図１１は第３折部の角度を示す説明図である。
【図１２】図１２（Ａ）は高さがＨ１で梱包対象物を示す説明図であり、図１２（Ｂ）は高さがＨ２である梱包対象物を示す説明図である。
【図１３】図１３（Ａ）、図１３（Ｂ）は梱包対象物に被冠した状態の梱包材を図２におけるＢ−Ｂ線に相当する位置で断面とした説明図である。
【図１４】図１４は梱包対象物上に乾燥剤を載置した状態を示す説明図である。
【図１５】図１５は実施形態の梱包箱に収納される台座部の斜視図である。
【図１６】図１６は実施形態の梱包箱に収納される台座部の展開図である。
【発明を実施するための形態】
【００１０】
以下、本発明の実施形態について、添付図面を参照しつつ説明する。ただし、図面中、各部の寸法、比率等は、実際のものと完全に一致するようには図示されていない場合がある。また、図面によっては、説明の都合上、実際には存在する構成要素が省略されていたり、寸法が実際よりも誇張されて描かれていたりする場合がある。
【００１１】
図１を参照すると、実施形態の梱包箱１に梱包対象物１００が梱包される様子が示されている。梱包箱１は、箱本体１０、梱包材２０及び台座部５０を備える。箱本体、梱包材２０及び台座部５０は、いずれも段ボールによって形成されている。すなわち、梱包箱１は、単一の材料によって形成されている。梱包対象物１００は、台座部５０の上に載置され、上方から梱包材２０が被冠された状態で箱本体１０内に収納される。そして、箱本体１０がその上縁に備える第１フラップ１１及び第２フラップ１２が閉じられると、梱包が完了する。梱包材２０の高さと、台座部５０の高さは、梱包材２０を台座部５０上に積み上げ、第１フラップ１１及び第２フラップ１２を閉じたときに、第１フラップ１１若しくは第２フラップ１２に当接する高さとされている。これにより、梱包材２０及び台座部５０が箱本体１０内で動かないようにされている。
【００１２】
本実施形態における梱包対象物は、電子機器、例えば、ＨＤＤ（Hard Disk Ｄrive）を想定している。電子機器は、高さ方向を含めた寸法が異なる場合があるが、本実施形態の梱包箱１、梱包材２０であれば、寸法の相違、特に、高さ方向の寸法の相違に容易に対応することができる。なお、梱包対象物１００は、電子機器に限定されず、他の物品を対象とすることもできる。
【００１３】
まず、図２乃至図１３を参照しつつ、梱包材２０について説明する。図２は実施形態の梱包材を模式的に示す説明図である。図３は実施形態の梱包材を示す斜視図である。図４は実施形態の梱包材を図３と異なる方向から見た斜視図である。図５は実施形態の梱包材を図３と異なる方向から見た斜視図である。図６は実施形態の梱包材の展開図である。図７（Ａ）は実施形態の梱包材の展開図における山折り線を示す説明図であり、図７（Ｂ）は実施形態の梱包材の展開図における谷折り線を示す説明図である。図８（Ａ）、図８（Ｂ）は、実施形態の梱包材の展開図における各部の寸法を示す説明図である。図９は実施形態の梱包材が備える切れ込み部を示す説明図である。図１０は図２におけるＡ−Ａ線断面図である。図１１は第３折部の角度を示す説明図である。図１２（Ａ）は高さがＨ１で梱包対象物を示す説明図であり、図１２（Ｂ）は高さがＨ２である梱包対象物を示す説明図である。図１３（Ａ）、図１３（Ｂ）は梱包対象物に被冠した状態の梱包材を図２におけるＢ−Ｂ線に相当する位置で断面とした説明図である。
【００１４】
梱包材２０は、所定の形状に切り出された１枚の段ボールを折り曲げることによって形成される。梱包材２０は、図６等に示す展開図の状態から、図６に示す矢示Ｃのように力を加えることで、容易に使用状態とすることができる。梱包材２０は、天板部２１を有する。天板部２１は、概ね矩形であり、第１辺２１ａ、第２辺２１ｂ、第３辺２１ｃ及び第４辺２１ｄを備える。第１辺２１ａと第３辺２１ｃとが対向配置され、第２辺２１ｂと第４辺２１ｄとが対向配置されている。また、第１辺２１ａと第３辺２１ｃが長辺であり、第２辺２１ｂと第４辺２１ｄが短辺である。
【００１５】
梱包材２０は、各辺にそれぞれ連設されている側壁部を有する。具体的に、第１辺２１ａには、第１側壁部２２が連設されている。第２辺２１ｂには第２側壁部２３が連設されている。第３辺２１ｃには第３側壁部２４が連設されている。第４辺２１ｄには第４側壁部２５が連設されている。
【００１６】
また、梱包材２０は、一端が天板部２１の各辺に接続し、他端が側壁部に接続して設けられた中央パッド部を備える。梱包材２０は、さらに、一端が天板部２１の各辺に接続し、他端が側壁部に接続し、中央パッド部の側方に設けられた側方パッド部を備える。換言すると、梱包材２０は、各辺において、天板部２１と側壁部との間に設けられた中央パッド部を備える。また、梱包材２０は、各辺において、中央パッド部の側方に側方パッド部を備える。
【００１７】
具体的に、第１辺２１ａにおいて、天板部２１と第１側壁部２２との間に中央パッド部２２１が設けられている。また、中央パッド部２２１の両側に、中央パッド部２２１を挟むようにそれぞれ開口（切れ込み部２７）と切り離し部２７ａ、２７ｂを隔てて側方パッド部２２２と側方パッド部２２３とが設けられている。中央パッド部２２１の一端（第４折部２２１ｄ）は、天板部２１の第１辺２１ａに接続し、他端（第１折部２２１ａ）は第１側壁部２２に接続している。側方パッド部２２２の一端（第７折部２２２ｃ）は、天板部２１の第１辺２１ａに接続し、他端（第５折部２２２ａ）は第１側壁部２２に接続している。側方パッド部２２３についても同様である。
【００１８】
切り離し部２７ａ、２７ｂは、第１側壁部２２内に切れ込み、図中、実線で描かれた部分である。中央パッド部２２１については、その両側に第１折部２２１ａから第２折部２２１ｂを結ぶように切り離し部２７ａが設けられており、中央パッド部２２１の輪郭の一部を形成している。側方パッド部２２２については、中央パッド部２２１と対向する側に第５折部２２２ａと第６折部２２２ｂを結ぶように切り離し部２７ｂが設けられており、側方パッド部２２２の輪郭の一部を形成している。なお、側方パッド部２２２の切り離し部２７ｂが位置する側と反対側には、第５折部２２２ａと第６折部２２２ｂを結ぶように切り離し部２９ａが設けられており、側方パッド部２２２の輪郭の一部を形成している。切り離し部２９ａは、天板部２１の角部に設けられた切れ込み部２９から第１側壁部２２内に切れ込んでいる。
【００１９】
側方パッド部２２３についても同様であり、第５折部２２３ａと第６折部２２３ｂを結ぶように切り離し部２７ｂ、２９ａが設けられており、側方パッド部２２３の輪郭の一部を形成している。
【００２０】
第２辺２１ｂにおいて、天板部２１と第２側壁部２３との間に中央パッド部２３１が設けられている。また、中央パッド部２３１の両側に、中央パッド部２３１を挟むようにそれぞれ開口（切れ込み部２８）と切り離し部２８ａを隔てて側方パッド部２３２、側方パッド部２３３が設けられている。中央パッド部２３１の一端（第４折部２３１ｄ）は、天板部２１の第２辺２１ｂに接続し、他端（第１折部２３１ａ）は第２側壁部２３に接続している。側方パッド部２３２の一端（第７折部２３２ｃ）は、天板部２１の第２辺２１ｂに接続し、他端（第５折部２３２ａ）は第２側壁部２３に接続している。側方パッド部２３３についても同様である。
【００２１】
切り離し部２８ａは、第２側壁部２３内に切れ込み、図中、実線で描かれた部分である。切り離し部２８ａは、中央パッド部２３１の両側に第１折部２３１ａから第２折部２３１ｂを結ぶように設けられており、中央パッド部２３１の輪郭の一部を形成している。切り離し部２８ａは、側方パッド部２３２の中央パッド部２３１と隣接する側の輪郭の一部も形成している。これは、短辺となる第２辺２１ｂでは、中央パッド部２３１と、側方パッド部２３２との間隔が狭くなるためである。なお、側方パッド部２３２の切り離し部２８ａが位置する側と反対側には、第５折部２３２ａと第６折部２３２ｂを結ぶように切り離し部２９ｂが設けられており、側方パッド部２３２の輪郭の一部を形成している。切り離し部２９ｂは、天板部２１の角部に設けられた切れ込み部２９から第２側壁部２３内に切れ込んでいる。
【００２２】
側方パッド部２３３についても同様であり、第５折部２３３ａと第６折部２３３ｂを結ぶように切り離し部２８ａ、２９ｂが設けられており、側方パッド部２３３の輪郭の一部を形成している。
【００２３】
第３辺２１ｃにおいて、天板部２１と第３側壁部２４との間に中央パッド部２４１が設けられている。また、中央パッド部２４１の両側に、中央パッド部２４１を挟むようにそれぞれ開口（切れ込み部２７）と切り離し部を隔てて側方パッド部２４２、側方パッド部２４３が設けられている。なお、第３辺２１ｃにおける中央パッド部２４１、側方パッド部２４２、２４３の構造は、第１辺２１ａにおける中央パッド部２２１、側方パッド部２２２、２２３の構造と共通であるので、その詳細な説明は省略する。
【００２４】
第４辺２１ｄにおいて、天板部２１と第４側壁部２５との間に中央パッド部２５１が設けられている。また、中央パッド部２５１の両側に、中央パッド部２５１を挟むようにそれぞれ開口（切れ込み部２８）と切り離し部を隔てて側方パッド部２５２、側方パッド部２５３が設けられている。なお、第４辺２１ｄにおける中央パッド部２５１、側方パッド部２５２、２５３の構造は、第２辺２１ｂにおける中央パッド部２３１、側方パッド部２３２、２３３の構造と共通であるので、その詳細な説明は省略する。
【００２５】
第１辺２１ａにおける中央パッド部２２１は、第１側壁部２２と接続された第１折部２２１ａと、この第１折部２２１ａよりも天板部２１に近い側に設けられた第２折部２２１ｂを備える。中央パッド部２２１は、さらに、第２折部２２１ｂよりも天板部２１に近い側に設けられた第３折部２２１ｃと、天板部２１と接続された第４折部２２１ｄとを備える。このような中央パッド部２２１は、梱包対象物１００を梱包するときに、梱包対象物１００を側面から中心部に向かって押えることができる。
【００２６】
第１辺２１ａにおける側方パッド部２２２は、第１側壁部２２と接続された第５折部２２２ａと、この第５折部２２２ａよりも天板部２１に近い側に設けられた第６折部２２２ｂと、天板部２１と接続された第７折部２２２ｃとを備える。同様に、側方パッド部２２３は、第１側壁部２２と接続された第５折部２２３ａと、この第５折部２２３ａよりも天板部２１に近い側に設けられた第６折部２２３ｂと、天板部２１と接続された第７折部２２２ｃとを備える。これらの側方パッド部２２２や側方パッド部２２３は、梱包対象物１００を梱包するときに、主として梱包対象物を上方から押えることができる。
【００２７】
なお、第１辺２１ａに対向する第３辺２１ｃにおける中央パッド部２４１も第１折部乃至第４折部を備えるが、これらは、中央パッド部２２１の場合と同様であるのでその詳細な説明は省略する。また、同様の理由で、第３辺２１ｃにおける側方パッド部２４２及び側方パッド部２４３が備える第５折部乃至第７折部についての詳細な説明も省略する。このような取り扱いは、以下の説明においても同様である。
【００２８】
第２辺２１ｂにおける中央パッド部２３１は、第２側壁部２３と接続された第１折部２３１ａと、この第１折部２３１ａよりも天板部２１に近い側に設けられた第２折部２３１ｂを備える。中央パッド部２３１は、さらに、第２折部２３１ｂよりも天板部２１に近い側に設けられた第３折部２３１ｃと、天板部２１と接続された第４折部２３１ｄとを備える。このような中央パッド部２３１は、梱包対象物１００を梱包するときに、梱包対象物１００を側面から中心部に向かって押えることができる。
【００２９】
第２辺２１ｂにおける側方パッド部２３２は、第２側壁部２３と接続された第５折部２３２ａと、この第５折部２３２ａよりも天板部２１に近い側に設けられた第６折部２３２ｂと、天板部２１と接続された第７折部２３２ｃとを備える。同様に、側方パッド部２３３は、第２側壁部２３と接続された第５折部２３３ａと、この第５折部２３３ａよりも天板部２１に近い側に設けられた第６折部２３３ｂと、天板部２１と接続された第７折部２３２ｃとを備える。これらの側方パッド部２３２や側方パッド部２３３は、梱包対象物１００を梱包するときに、主として梱包対象物を上方から押えることができる。
【００３０】
なお、第２辺２１ｂに対向する第４辺２１ｄにおける中央パッド部２５１も第１折部乃至第４折部を備えるが、これらは、中央パッド部２３１の場合と同様であるのでその詳細な説明は省略する。また、同様の理由で、第４辺２１ｄにおける側方パッド部２５２及び側方パッド部２５３が備える第５折部乃至第７折部についての詳細な説明も省略する。このような取り扱いは、以下の説明においても同様である。
【００３１】
このように、実施形態の梱包材２０は、各辺に中央パッド部と、側方パッド部を備える。そして、各中央パッド部が４つの折部を備えるのに対し、各側方パッド部は、３つの折部を備える。すなわち、中央パッド部は、隣接している側方パッド部よりも多くの折部を備えている。これにより、梱包対象物１００の高さの変化に対応するとともに、梱包対象物１００を側面から中心部に向かって押しやすくなる。
【００３２】
梱包材２０は、図６に示す展開図を元にして、各折部を折り曲げることによって使用状態とされる。図６において、外形と切れ込みは実線で示され、折り曲げ線は、点線で表現されている。さらに、図７（Ａ）では、山折りとなる部分が太い点線で表現され、それ以外の部分が実線で表現されている。また、図７（Ｂ）では、谷折りとなる部分が太い点線で表現され、それ以外の部分が実線で表現されている。図６、図７（Ａ）及び図７（Ｂ）は、いずれも使用状態において上面となる側から見た展開図を示している。
【００３３】
すなわち、中央パッド部２２１に着目すると、第１折部２２１ａ、第２折部２２１ｂ、第３折部２２１ｃが谷折りとなり、第４折部２２１ｄが山折りとなる。このような谷折りと山折りの設定は、他の中央パッド部においても同様である。また、側方パッド部２２２に着目すると、第５折部２２２ａ及び第６折部２２２ｂが谷折りとなり、第７折部２２２ｃが山折りとなる。このような谷折りと山折りの設定は、他の側方パッド部においても同様である。
【００３４】
ここで、図８（Ａ）を参照し、さらに中央パッド部２２１に着目すると、第１折部２２１ａの長さＬ１は、第２折部２２１ｂの長さＬ２よりも短く、第４折部２２１ｄの長さＬ４は、第３折部２２１ｃの長さＬ３よりも短い。このような関係は、中央パッド部２４１においても同様である。また、中央パッド部２３１に着目すると、第１折部２３１ａの長さＬ７は、第２折部２３１ｂの長さＬ８よりも短く、第４折部２３１ｄの長さＬ１０は、第３折部２３１ｃの長さＬ９よりも短い。このような関係は、中央パッド部２５１においても同様である。
【００３５】
中央パッド部の各折部の長さをこのように設定することにより、中央パッド部２２１等を所望の形状に変形しやすくすると共に、その強度を確保することができる。すなわち、長さが短い折部は、折曲がりやすく、形状を変化させやすい。梱包材２０は、台座部５０に載置された梱包対象物１００に被冠させ、上方から押し付けられる。このとき、長さが短い折部は、自発的に折れ曲がれやすく、梱包作業の労力を軽減することができる。また、中央パッド部２２１等の形状が変化しやすいと、梱包対象物１００の寸法が変更されたときに、その形状に追従しやすく、梱包対象物１００の箱本体１０内での移動を抑制することができる。中央パッド部２２１等は、梱包対象物１００を梱包するときに、梱包対象物１００を側面から中心部に向かって押えるため、所定の強度を確保することが求められる。本実施形態では、第２折部を第１折部よりも長くし、第３折部を第４折部よりも長くすることで、中央パッド部２２１等の強度を向上させている。
【００３６】
また、図８（Ａ）を参照し、側方パッド部２２２に着目すると、第５折部２２２ａ及び第６折部２２２ｂの長さＬ５は、第７折部２２２ｃの長さＬ６よりも長い。このような関係は、側方パッド部２２３、２４２及び２４３においても同様である。また、側方パッド部２３２に着目すると、第５折部２３２ａ及び第６折部２３２ｂの長さＬ１１は、第７折部２３２ｃの長さＬ１２よりも長い。このような関係は、側方パッド部２３３、２５２及び２５３においても同様である。側方パッド部の各折部の長さをこのように設定することにより、側方パッド部２２２等を変形しやすくし、その強度を確保することができる。
【００３７】
なお、図９において、太い実線で示すように、天板部２１の各辺２１ａ〜２１ｄにおいて、中央パッド部と側方パッド部との間に切れ込み部が設けられている。具体的に、第１辺２１ａでは、中央パッド部２２１と側方パッド部２２２及び側方パッド部２２３との間に図中、それぞれ実線で示された切れ込み部２７が設けられている。切れ込み部２７の開口は、天板部２１側の長さが、第１側壁部２２側の長さよりも長くなっている。このような切れ込み部２７の関係は、Ｌ２＞Ｌ３＞Ｌ４の関係と、Ｌ５＞Ｌ６の関係に起因している。また、第２辺２１ｂでは、中央パッド部２３１と側方パッド部２３２及び側方パッド部２３３との間に図中、それぞれ実線で示された切れ込み部２８が設けられている。切れ込み部２８の開口は、天板部２１側の長さが、第１側壁部２２側の長さよりも長くなっている。このような切れ込み部２８の関係は、Ｌ８＞Ｌ９＞Ｌ１０の関係と、Ｌ１１＞Ｌ１２の関係に起因している。なお、本実施形態では、第１辺２１ａは長辺であり、中央パッド部２２１と側方パッド部２２２との間隔、中央パッド部２２１と側方パッド部２２３との間隔が広いため、切れ込み部２７は、台形形状となっている。これは、第３辺２１ｃにおいても同様である。一方、第２辺２１ｂは短辺であり、中央パッド部２３１と側方パッド部２３２との間隔、中央パッド部２３１と側方パッド部２３３との間隔が狭いため、切れ込み部２８は、三角形状となっている。
【００３８】
図８（Ｂ）を参照すると、展開した状態の梱包材２０において、第１折部２２１ａは、第５折部２２２ａよりも天板部２１から離れた側に位置し、第４折部２２１ｄは、第７折部２２２ｃよりも天板部２１の中心部側に位置している。これにより、第１折部２２１ａから第４折部２２１ｄまでの幅Ｗ１が第５折部２２２ａから第７折部２２２ｃまでの幅Ｗ２よりも広くなっている。同様に、第１折部２３１ａは、第５折部２３２ａよりも天板部２１から離れた側に位置し、第４折部２３１ｄは、第７折部２３２ｃよりも天板部２１の中心部側に位置している。これにより、第１折部２３１ａから第４折部２３１ｄまでの幅Ｗ３が第５折部２３２ａから第７折部２３２ｃまでの幅Ｗ４よりも広くなっている。これにより、梱包対象物１００の高さの変化に追従しやすくなっている。すなわち、梱包対象物１００の高さが高くなると、天板部２１の各辺は、その中央部付近が盛り上がりやすい。そこで、中央パッド部の幅を側方パッド部よりも広くすることで、各辺の中央部付近が梱包対象物の高さの変化に追従しやすくしている。
【００３９】
また、梱包材２０は、対向配置されている一対の第４折部の形状を天板部２１の中心部に向かって突状とされた円弧状としている。本実施形態では、短辺である第２辺２１ｂにおける第４折部２３１ｄと、第２辺２１ｂに対向配置されている第４辺２１ｄにおける第４折部を円弧状としている。すなわち、梱包材２０は、短辺が延びる方向に沿って設けられた第４折部を、天板部２１の中心部に向かって突状とされた円弧状としている。
【００４０】
これに対し、梱包材２０は、長辺である第１辺２１ａにおける第４折部２２１ｄを天板部２１の第１辺２１ａよりも内側に位置させ、第１辺２１ａと対向配置されている第３辺２１ｃにおける第４折部を天板部２１の第１辺２１ａよりも内側に位置させている。
【００４１】
第４折部を円弧状とするのは、天板部２１を梱包対象物１００の高さに応じて変形しやすくするためである。梱包対象物１００の高さが高くなると、天板部２１の各辺は弓形に変形する。そこで、予め変形後の形状を想定した円弧状の折部を設けておくことで、梱包時に梱包材２０を所望の形状に変形させることができる。また、短辺である第２辺２１ｂにおける第４折部２３１ｄと、第２辺２１ｂに対向配置されている第４辺２１ｄにおける第４折部を円弧状としているのは、短辺は、長辺と比較して、短い距離で高さの変化に対応しなければならず、弓形の曲率が大きくなるためである。
【００４２】
また、本実施形態では、長辺である第１辺２１ａにおける第３折部２２１ｃと第４折部２２１ｄとの幅Ｗ５よりも、短辺である第２辺２１ｂにおける第３折部２３１ｃと第４折部２３１ｄとの幅Ｗ６を若干広くしている。これも、短い距離で高さの変化に対応しやすくするための措置である。
【００４３】
なお、本実施形態は、長辺と短辺を備えるため、第１辺２１ａと第２辺２１ｂとで、第４折部の形態を異ならせているが、仮に、天板部２１が正方形や、概ね正方形である場合には、全ての辺に対し、同一形態の第４折部を設けるようにしてもよい。
【００４４】
ここで、図１０及び図１１を参照して、中央パッド部について説明する。図１０及び図１１では、天板部２１と第１側壁部２２との間に設けられている中央パッド部２２１について説明するが、他の中央パッド部においても同様である。中央パッド部２２１は、第１折部２２１ａ乃至第４折部２２１ｄを備える。一方、側方パッド部２２２は第５折部２２２ａ乃至第７折部２２２ｃを備える。このため、中央パッド部２２１は、側方パッド部２２２とは、異なる形状に変形する。具体的に、中央パッド部２２１は、第３折部２２１ｃを梱包対象物１００に接近させることができる。梱包対象物１００に接近した中央パッド部２２１は、梱包対象物１００を側方から中心部に向かって押さえることができる。すなわち、中央パッド部２２１は、第３折部２２１ｃにおける角度θ１が可変であり、梱包対象物１００の側面に接近することができるため、梱包対象物１００を抑えることができる。このような中央パッド部は、四方に設けられているため、梱包対象物１００の平面方向の移動を抑制することができる。
【００４５】
図９を参照すると、梱包材２０は、天板部２１の各角部において、隣接する辺に属する側方パッド部間に切れ込み部２９を備え、隣接する側方パッド部同士が離れて設けられている。例えば、第１辺２１ａに属する側方パッド部２２２と第２辺２１ｂに属する側方パッド部２３３との間に切れ込み部２９が設けられており、側方パッド部２２２と側方パッド部２３３とは離れた状態とされている。このような切れ込み部２９を設けるのは、天板部２１が梱包対象物１００の高さに応じて持ち上げられた状態となるときに、隣接する側方パッド同士が干渉することを回避するためである。天板部２１が持ち上げられると、これに伴って、隣接する側方パッド部同士が接近する。そこで、切れ込み部２９を設けておくことにより、隣接する側方パッド部同士の接触、干渉を回避することができる。
【００４６】
梱包材２０は、展開図の状態において、第１側壁部２２の両端部及び第３側壁部２４の両端部に重畳部２６ａが設けられている。重畳部２６ａは、梱包材２０が使用状態となるときに、第２側壁部２３や第４側壁部２５と重なることで鍔状部２６を形成する。鍔状部２６は、梱包材２０が箱本体１０内に収納されたときに、箱本体１０の内周壁面に当接する。これにより、梱包材２０の箱本体１０内での移動が規制される。なお、梱包材２０の使用状態における第２側壁部２３と第４側壁部２５との間隔は、箱本体１０の内部寸法に対応させて設定されている。
【００４７】
ここで、図１２乃至図１４を参照して、梱包材２０が梱包対象物１００に被冠される様子について説明する。ここでは、図１２（Ａ）に示すような高さＨ１の梱包対象物１００ａと図１２（Ｂ）に示すような高さＨ２の梱包対象物１００ｂの場合について、比較しつつ説明する。高さＨ１は高さＨ２よりも低い。
【００４８】
図１３（Ａ）、図１３（Ｂ）に表された側方パッド部２２３は、第５折部２２３ａ乃至第７折部２２３ｃが設けられていることにより、弾性力を発揮することができる。また、第６折部２２３ｂが台座部５０と接触することで形成される角度θ２及び角度θ３が可変であることにより、梱包対象物１００の高さの変化に対応することができる。これにより、梱包対象物１００の高さが異なる場合であっても、梱包対象物１００を上方から押えることができる。
【００４９】
図１３（Ａ）に示すように、梱包材２０が梱包対象物１００ａに被冠される場合、角度θ２は、図１３（Ｂ）に示すように梱包材２０が梱包対象物１００ｂに被冠される場合と比較して小さくなる。一方、図１３（Ａ）に示すように、梱包材２０が梱包対象物１００ａに被冠される場合、角度θ３は、図１３（Ｂ）に示すように梱包材２０が梱包対象物１００ｂに被冠される場合と比較して大きくなる。このように、本実施形態の梱包材２０によれば、側方パッド部２２３等が第５折部２２３ａ乃至第７折部２２３ｃ等を備えることで、梱包対象物１００の高さに対応しつつ、梱包対象物１００を上方から押えることができる。
【００５０】
なお、図１４に示すように本実施形態の梱包材２０は、例えば、梱包対象物１００の上部に乾燥剤１０１が載置されたような場合であっても、好適に用いることができる。すなわち、乾燥剤１０１等が搭載されると、梱包対象全体の高さが高くなる。本実施形態の梱包材２０であれば、このような場合であっても、梱包対象物１００及び乾燥剤１０１の移動を抑制することができる。
【００５１】
つぎに、図１５及び図１６を参照して、台座部５０について説明する。図１５は実施形態の梱包箱１に収納される台座部５０の斜視図である。図１６は実施形態の梱包箱１に収納される台座部５０の展開図である。
【００５２】
台座部５０は、図１６に展開図として示すような所定の形状に切り出された１枚の段ボールを折り曲げることによって形成される。台座部５０は、搭載部５１を備える。搭載部５１には、二条の差込溝５１ａが設けられている。また、台座部５０は、搭載部５１の両側に、それぞれ延設された脚部５２を備える。脚部５２は、接続部５２ａ、接地部５２ｂで折り曲げることにより、三角形状に形成されている。折り曲げられた接地部５２ｂは、台座部５０の下端部に位置し、箱本体１０の底部に接地する。脚部５２は、端部に差込部５２ｃを備え、この差込部５２ｃがそれぞれ差込溝５１ａに挿し込まれることで、三角形状が形成される。差込部５２ｃは、差込溝５１ａから上方に向かって突出することで、梱包対象物１００が天板部２１により押しつけられても短手方向にずれないように、その搭載位置を維持するストッパとして機能する。脚部５２には、差込穴５２ｄが設けられている。
【００５３】
台座部５０は、脚部５２が延びる辺と直行する両辺にそれぞれ連結部５３を備える。連結部５３は、二つの脚部５２を連結する。連結部５３は、接続部５３ｃを山折りとし、差込部５３ａを脚部５２が備える差込穴５２ｄにそれぞれ挿し込む。これにより、二つの脚部５２が連結部５３を介して連結される。連結部５３は、突起部５３ｂを備える。突起部５３ｂは、接続部５３ｃを山折りとすることに伴って、立ち上がる。突起部５３ｂは、梱包対象物１００が天板部２１により押しつけられても長手方向にずれないように、その搭載位置を維持するストッパとして機能する。差込部５２ｃ及び突起部５３ｂで囲まれた領域が梱包対象物１００の搭載領域５４となる。
【００５４】
台座部５０は、中空の三角形状の脚部５２を備える。このような脚部５２は、緩衝部として機能する。また、搭載領域５４の下方も空洞となっているため、例えば、梱包箱１が落下したような場合に、梱包対象物１００へ加わる衝撃を緩和することができる。
【００５５】
なお、本実施形態では、台座部５０を用いているが、梱包対象物１００を搭載することができるものであれば、他の台座部を用いてもよい。
【００５６】
実施形態の梱包箱１及び梱包材２０によれば、梱包対象物の高さ方向の寸法の相違に対応しやすい。
【００５７】
以上本発明の好ましい実施形態について詳述したが、本発明は係る特定の実施形態に限定されるものではなく、特許請求の範囲に記載された本発明の要旨の範囲内において、種々の変形、変更が可能である。
【符号の説明】
【００５８】
１  梱包箱
１０  箱本体
２０  梱包材
２１  天板部
２１ａ  第１辺
２１ｂ  第２辺
２１ｃ  第３辺
２１ｄ  第４辺
２２  第１側壁部
２２１、２３１、２４１、２５１  中央パッド部
２２１ａ、２３１ａ  第１折部
２２１ｂ、２３１ｂ  第２折部
２２１ｃ、２３１ｃ  第３折部
２２１ｄ、２３１ｄ  第４折部
２２２、２２３、２３２、２３３、２４２、２４３、２５２、２５３  側方パッド部
２２２ａ、２２３ａ、２３２ａ、２３３ａ  第５折部
２２２ｂ、２２３ｂ、２３２ｂ、２３３ｂ  第６折部
２２２ｃ、２２３ｃ、２３２ｃ、２３３ｃ  第７折部
２３  第２側壁部
２４  第３側壁部
２５  第４側壁部
２６  鍔状部
２７、２８、２９  切れ込み部
５０  台座部
１００、１００ａ、１００ｂ  梱包対象物
１０１  乾燥剤
【図１】
2018118759.tif 000003
【図２】
2018118759.tif 000004
【図３】
2018118759.tif 000005
【図４】
2018118759.tif 000006
【図５】
2018118759.tif 000007
【図６】
2018118759.tif 000008
【図７】
2018118759.tif 000009
【図８】
2018118759.tif 000010
【図９】
2018118759.tif 000011
【図１０】
2018118759.tif 000012
【図１１】
2018118759.tif 000013
【図１２】
2018118759.tif 000014
【図１３】
2018118759.tif 000015
【図１４】
2018118759.tif 000016
【図１５】
2018118759.tif 000017
【図１６】
2018118759.tif 000018